(57)【要約】【課題】製造時に簡単に調整でき、相互に整合すべき構造部材の過度に高精度な規定を阻止し、使用期間にわたって一定の易動性を有し、最少の摩耗のみを受ける遊びなく調節可能な直線案内を含む対物レンズ調節装置を創成する。【解決手段】開口（５）に適合した幅を有するすべりヘッド部（６）備えた継ぎ板として案内部材（３）を構成し、上記すべりヘッド部に、半径方向へ延びスリット幅可変のスリット（８）を設ける。【選択図】図１
2006330734.tif 000002
【特許請求の範囲】
【請求項１】
不動のハウジング（２）と，雌ねじ（１７）を備えた調節リング（１５）と，雄ねじ（１８）を備え軸線方向へ案内され光学的作用部材を支持する鏡筒（１９）とを有する対物レンズ調節装置（１）であって、調節リング（１５）が、ハウジング（２）に回転自在に軸支され、鏡筒（１９）が、相互に平行なすべり面（７，７´）を有する少なくとも１つの軸線平行開口（５）を有し、上記開口に、ハウジング（２）に結合された案内部材（３）が係合するする形式のものにおいて、
案内部材（３）が、前記開口（５）に適合した幅を有するすべりヘッド部（６）を備えた継ぎ板として構成されており、上記すべりヘッド部が、半径方向へ延びスリット幅可変のスリット（８）を備えていること
を特徴とする対物レンズ調節装置。
【請求項２】
継ぎ板が、横断面を補強したすべりヘッド部（６）を含み、トング状ないしＴ字状に構成されていることを特徴とする請求項１の対物レンズ調節装置。
【請求項３】
前記スリット（８）が、すべりヘッド部（６）を貫通して継ぎ板のトング状範囲に延在することを特徴とする請求項１又は２の対物レンズ調節装置。
【請求項４】
すべりヘッド部（６）内に延在する前記スリット（８）のスリット幅の調節のため、軸線方向へ延在する第１部分には、ねじ部（２０）が設けてあり、次の第２部分には、くさび状拡開面（２１）が設けてあり、ねじ部（２０）には、円錐形尖端（２２）を有する止めねじ（９）がねじ込み調節自在に挿入されていることを特徴とする請求項１〜３の１に記載の対物レンズ調節装置。 
【請求項５】
継ぎ板には、調節自在の前記スリット幅可変のスリット（８）に平行に、他のスリット（２４）が設けてあることを特徴とする請求項１〜４の１に記載の対物レンズ調節装置。
【請求項６】
継ぎ板が、スリットを切っていない継ぎ板部分において、ハウジング（２）に螺着されていることを特徴とする請求項１〜５の１に記載の対物レンズ調節装置。
【請求項７】
鏡筒（１９）には、第１開口（５）に直径方向へ対向する位置に第２開口（１１）が設けてあり、上記第２開口には、弾性プラスチックから作製されハウジングに不動に結合された第２案内部材（１０）が係合し、第２案内部材（１０）が、同じく、半径方向スリット（１３）を備え、第２開口（１１）の幅に比して、この半径方向スリット（１３）のスリット幅よりも小さい寸法だけ大きい円周方向寸法を有することを特徴とする請求項１〜６の１に記載の対物レンズ調節装置。
【請求項８】
第２案内部材（１０）が、横断面を補強したすべりヘッド部（１４）を含むトング状ないしＴ字状継ぎ板として構成されていることを特徴とする請求項７の対物レンズ調節装置（１）。
【請求項９】
前記半径方向スリット（１３）が、すべりヘッド部（１４）を貫通して継ぎ板のトング状範囲に延在することを特徴とする請求項８の対物レンズ調節装置。
【発明の詳細な説明】
【技術分野】
【０００１】
本発明は、対物レンズ調整装置に関し、特に不動のハウジングと，雌ねじを備えた調節リングと，雄ねじを備え軸線方向へ案内され光学的作用部材を支持する鏡筒とを有する対物レンズ調節装置であって、調節リングが、ハウジングに回転自在に軸支され、鏡筒が、相互に平行なすべり面を有する少なくとも１つの軸線平行開口を有し、上記開口に、ハウジングに結合された案内部材が係合するする形式の対物レンズ調節装置に関する。
【背景技術】
【０００２】
このような対物レンズ調節装置は、写真対物レンズのフォーカシングに使用される。この場合、フォーカシング部材を対物レンズの光軸に沿って軸線方向へ摺動させることは公知である。摺動時、場合によっては存在する調心誤差の影響を排除するため、レンズ部材の回転を回避するのが好ましい。フォーカシングリングの回転運動は、所定ピッチを有するねじ部および光軸に平行に延びる回転防止した直線案内を介して、正確な軸線方向運動に変換される。光学的精度要求が高度な場合、フォーカシング光学系の軸線方向運動に、半径方向遊びが含まれていてはならない。この理由から、しかも、大きいピッチを実現でき、かくして、大きい軸線方向ストロークを実現できるよう、ねじ部は、ウォームねじとして構成されている。上記ウォームねじの鏡筒を強制案内した場合に、軸線方向運動の困難さを結果する過度に高精度な規定が生ずることのないよう、直線案内は、正確に軸線平行に推移しなければならない。同じく、案内部材の遊び無し性が保証されなければならない。
【０００３】
ＤＥ１９８０４４７２Ｃ１（特許文献１）には、円筒形フレーム内の遊びのない直線案内が記載されており、この直線案内の場合、光軸に平行に延びる位置不変の案内路が、波状バネによって弾性的に支持され円筒（柱）形案内部材の走行面としての当接バーを片側に有する。
【０００４】
ＤＤ２７４２８７Ａ１（特許文献２）には、光軸に平行に延びる案内ミゾに係合し、２つのねじによってフレームボデーに固定された湾曲した案内部材からなる直線案内が記載されている。
【０００５】
【特許文献１】ＤＥ１９８０４４７２Ｃ１
【特許文献２】ＤＤ２７４２８７Ａ１
【発明の開示】
【発明が解決しようとする課題】
【０００６】
特許文献１の場合、螺着可能な円筒（柱）形ピンとして構成された中実の案内部材は、波状バネによって片側にのみ作用する圧力にもとづき、軸線方向摺動中、常に片側の負荷を受けて案内路に沿って移動する。時間の推移とともに、円筒（柱）形ピンに作用する予圧は、案内路の摩耗および波状バネの疲労によって変化され、これは、遊び無し性にマイナスに作用する。
【０００７】
特許文献２の直線案内の場合、案内部材は、逆方向（ないし反転）遊び（Umkehrspiel）およびフォーカシングの不正確性を避けるため、軸線方向長さの範囲において、案内ミゾの幅に正確に整合させなければならない。光学的作用部材を担持する鏡筒のねじれ応力および所定の軸線方向ストローク時の不均一な動きを避けるため、案内ミゾおよび光軸に対する案内部材の平行性に対して、極めて高い要求が課せられる。
【０００８】
従って、本発明の課題は、製造時に簡単に調整でき、相互に整合すべき構造部材の過度に高精度な規定を阻止し、使用期間にわたって一定の易動性を有し、最少の摩耗のみを受ける遊びなく調節可能な直線案内を含む対物レンズ調節装置を創成することにある。
【課題を解決するための手段】
【０００９】
この課題は、冒頭に述べた形式の対物レンズ調節装置において、本発明にもとづき、請求項１の特徴記載部分に開示の特徴によって解決される。即ち、本発明の対物レンズ調節装置は、案内部材が、前記開口に適合した幅を有するすべりヘッド部を有する継ぎ板として構成されており、上記すべりヘッド部が、半径方向へ延びスリット幅可変のスリットを備えていること、を特徴とする。（基本形態・形態１）
本発明の有利な実施形態は、従属請求項の対象である。
なお、特許請求の範囲に付記した図面参照符号は、専ら理解を助けるためのものであり、本発明を図示の態様に限定することを必ずしも意図するものでない。
【００１０】
以下に本発明の有利な実施形態を示す。
継ぎ板が、横断面を補強したすべりヘッド部を含み、トング状ないしＴ字状に構成されている。（形態２）
前記スリットが、すべりヘッド部を貫通して継ぎ板のトング状範囲に延在する。（形態３）
すべりヘッド部内に延在する前記スリットのスリット幅の調節のため、軸線方向へ延在する第１部分には、ねじ部が設けてあり、次の第２部分には、くさび状拡開面が設けてあり、ねじ部には、円錐形尖端を有する止めねじがねじ込み調節自在に挿入されている。（形態４）
継ぎ板には、調節自在の前記スリット幅可変のスリットに平行に、他のスリットが設けてある。（形態５）
継ぎ板が、スリットを切っていない継ぎ板部分において、ハウジングに螺着されている。（形態６）
鏡筒には、第１開口に直径方向へ対向する位置に第２開口が設けてあり、上記第２開口には、弾性プラスチックから作製されハウジングに不動に結合された第２案内部材が係合し、第２案内部材が、同じく、半径方向スリットを備え、第２開口の幅に比して、この半径方向スリットのスリット幅よりも小さい寸法だけ大きい円周方向寸法を有する。（形態７）
第２案内部材が、横断面を補強したすべりヘッド部を含むトング状ないしＴ字状継ぎ板として構成されている。（形態８）
前記半径方向スリットが、すべりヘッド部を貫通して継ぎ板のトング状範囲に延在する。（形態９）
【発明の効果】
【００１１】
本発明の基本形態により、所期の課題が達成される。即ち、製造時に簡単に調整でき、相互に整合すべき構造部材の過度に高精度な規定を阻止し、使用期間にわたって一定の易動性を有し、最少の摩耗のみを受ける遊びなく調節可能な直線案内を含む対物レンズ調節装置を創成することができる。以下に詳述のとおり、さらに各従属請求項ないし各形態に応じ、付加的な効果・利点が達成される。
【００１２】
案内部材は、開口に適合した幅を有するすべりヘッド部備えた継ぎ板（Lasche）として構成されており、上記すべりヘッド部は、半径方向へ延びスリット幅可変のスリットを備えている。かくして、案内部材のピッタリ合った作製および軸線平行な開口の幅の煩瑣な研削を行う必要はない。スリット幅は、その可変性に基づき対物レンズ調節装置の組立終了時に、開口幅に最適に調節される。
【発明を実施するための最良の形態】
【００１３】
継ぎ板は、軸線平行な開口の平行なすべり面に均一に当接するよう、トング状ないし概略Ｔ字状の形状に構成され、横断面を補強したすべりヘッド部を有するよう構成されている。
【００１４】
スリット幅の改善された容易な調節可能性のため、スリットは、すべりヘッド部を貫通して継ぎ板のトング状部（ないしＴ字状のトング状脚部）の範囲に延在する。
【００１５】
すべりヘッド部内に延在するスリットは、スリット幅の調節のため、軸線方向へ延在する第１部分に、ねじ部を備えており、次の第２部分に、くさび状拡開面が設けてある。ねじ部には、円錐形尖端を有する止めねじが（ねじ込み）調節自在に挿入されており、この止めねじは、組立中、注意深くねじ込むことによって、有利な態様で、くさび状拡開面に押圧され、その結果、スリットは、案内部材が遊びなく開口に真っすぐ案内されるようになるまで、拡開される。直線案内（ガイド）における案内部材の１回または複数回の往復運動を試みることによって、遊び無し性を点検でき、次いで、確保ラッカによって止めねじをその螺着位置に固定できる。代替え方式として、所定のトルクによって止めねじをくさび状拡開面に押圧保持することもできる。かくして、一方においての遊び無し性と、軸線平行の開口の平行すべり面に対するすべりヘッド部側の押圧に起因する他方においての摩擦力との間に最適にバランスした値を設定できる。
【００１６】
有利な実施例にもとづき、継ぎ板には、調節可能なスリットに平行に、他の（第２ないしそれ以上の）スリットを設けることができる。この他のスリットに関連するすべりヘッド部側は、平行なすべり面の、場合により生じうる不整を補償できるよう、可撓性にまたは若干弾性的に作用するよう構成される。そのため、好適には、可燒性プラスチック材料を用いる。
【００１７】
継ぎ板は、別個の作業工程において、作製でき、保守時において、ハウジングの取外しを必要とすることなく、個々に交換できるよう、継ぎ板のスリットを加工してない部分において、ハウジングに螺着されている。もちろん、製造合理化のため継ぎ板をハウジング部分に成形した実施例も考えられる。
【００１８】
他の有利な実施例の場合、鏡筒には、第１開口に直径方向へ対向する第２開口が設けてあり、上記第２開口には、弾性プラスチックから作製されハウジングに不動に結合された案内部材が係合する。この弾性的案内部材は、同じく、半径方向のスリットを備え、開口の幅に比して、スリット幅よりも小さい寸法だけ大きい（円周方向の）幅を有する。かくして、一方においては、案内部材を開口内に弾性的に真っすぐ案内するための予圧を形成でき、他方においては、軸線方向スリットによって形成された案内部材の双方の部分自体が、すべり面の、場合による不整または開口の幅の変動を、補償できる。駆動される鏡筒における過度に高精度な規定（Ueberbestimmung）は、確実に回避される。かくて製造精度の公差が、改善（緩和）されるので製造上有利である。
【００１９】
横断面を補強したすべりヘッド部を有するトング状（ないし略Ｔ字状）継ぎ板として他の案内部材を構成すれば、この案内部材の案内特性を改善できる。材料を選択する場合、自己潤滑性のプラスチックないし複合材料、特にポリオキシメチレン（ＰＯＭ）が特に有利であることが判明している。なぜならば、自己潤滑性にもとづき、潤滑剤を付加する必要がないからである。
【００２０】
特に有利な実施例の場合、弾性的案内部材のスリットは、すべりヘッド部を貫通して継ぎ板のトング状範囲に延びる。この方策によって、弾性作用が改善される。
【００２１】
対物レンズ調節装置を図面に模式的に示し、以下に、本発明の実施例について図面を参照して詳細に説明する。
【実施例】
【００２２】
図１に、不動（定置）のハウジング２を有する対物レンズ調節装置１の正面図を示した。調節可能な案内部材３は、略Ｔ字状の継ぎ板として構成され、ねじ４でハウジング２に固定されている。なお、Ｔ字状部の脚部はトング状部を成す。案内部材３は、第１軸線平行開口に適合した幅を有するすべりヘッド部によって、鏡筒１９の開口に係合する。すべりヘッド部６は、その側面が、開口５のすべり面７，７´に当接し、半径方向へ継ぎ板範囲まで延びるスリット幅可変のスリット８を備えている。スリット幅（円周方向の幅）の調節は、止めねじ９のねじ込み／ゆるめを介して行う。
【００２３】
鏡筒１９の軸線平行な第２開口１１に係合し２つのねじ１２でハウジング２に固定された弾性的案内部材（第２案内部材）１０が、直径方向へ対向させた位置に示してある。第２案内部材１０の（円周方向）幅は、第２開口１１の幅に比して、第２案内部材１０の半径方向へ延びる弾性的スリット１３のスリット幅よりも小さい寸法だけ大きい。かくして、弾性的案内部材１０のヘッド範囲１４は、第２開口１１内で弾性応力を受ける。
【００２４】
ハウジング２には、調節リング１５が、光軸１６のまわりに回転自在に支持されている。調節リング１５の機能は、図２から知られよう。
【００２５】
図１の線Ａ−Ａに沿う図２の断面図に、模式的に示したバヨネット２５によってカメラ（図示してない）に装着された不動のハウジング２を示した。調節リング１５は、ハウジング２に回転自在な支持状態で挿入されており、雌ねじ１７を有する。雌ねじ１７は、ウォームねじとして構成され、鏡筒１９の雄ねじ１８とともに、いわゆるウォーム段を形成する。この場合、ウォーム段のピッチは、必要なフォーカシング経路に適合されており、回転運動毎に進行されるフォーカシング経路（軸線方向ストローク）が大きければ大きいほど、大きい。調節リング１５が回転運動されると直ちに、対物レンズヘッド（図示してない）を担持する鏡筒１９が、ハウジング２に位置不変に且つ軸線平行の開口５に係合する案内部材３にもとづき、軸線方向へのみ移動できる。
【００２６】
補強状態に構成されたすべりヘッド部６は、側面で、すべり面７に当接し、調節リング１５の回転運動によって形成されて、まず、ウォーム段１７，１８を介して鏡筒１９に、かくして、軸線平行の開口５のすべり面７，７´に案内部材３に対向して誘起される力を鏡筒１９の軸線方向摺動に変換しなければならない。従って、運動困難さまたは案内部材３の永久損傷が避けられるよう、上記力の吸収または変換のため、すべりヘッド部６の軸線方向横断面は、ウォーム段１７，１８のピッチが大きければ大きいほど、大きくなければならない。補強状態に構成されたすべりヘッド部６は、軸線方向へ延びる第１部分にねじ部２０を備えており、次の第２部分には、くさび状拡開面２１が設けてある。止めねじ９は、ねじ部２０に調節自在に挿入され、拡開面２１の範囲に、円錐形尖端２２を有する。すべりヘッド部６の補強状態は、所定の軸方向厚みを有するよう、段差をもって構成され、好ましくはこの両側端面に可及的に広い当接摺動面を有するように形成される（図４参照）。
【００２７】
明確化のため、図３に、調節可能な案内部材３の拡大断面図を示した。ねじ部２０は、すべりヘッド部６の半径方向へ延びる第１部分に、止めねじのない状態で示してある。くさび状拡開面２１は、第１部分に続く第２部分に存在する。
【００２８】
図４に、既述の構成に対応する構成のスリット幅可変のスリット（第１スリット）８と、このスリットに平行に延びる第２スリット２４とを有する案内部分２３の実施例の斜視図を示した。この方策によって、案内部材２３は、軸線平行のすべり面の平行性の不整を弾性的に補償できる。図示のとおり、各スリット８、２４はＴ字状の脚部を成すトング状部の基部にまで半径方向に延在している。案内部材２３の基部（即ちＴ字状の頂部）の両端翼部にハウジング２への固定用のねじ孔が設けられている。
【図面の簡単な説明】
【００２９】
【図１】案内部材の範囲の正面断面図である（光軸１６に直交する断面）。
【図２】図１の線Ａ−Ａに沿う断面図である。
【図３】止めねじのない状態の調節可能な案内部材の拡大図である。
【図４】他の弾性的スリット要素を有する案内部材の実施例の斜視図である。
【符号の説明】
【００３０】
１      対物レンズ調節装置
２      ハウジング
３      調節可能な案内部材
４      調節可能な案内部材を固定するためのねじ
５      第１軸線平行開口
６      すべりヘッド部
７，７´すべり面
８      スリット幅可変のスリット
９      止めねじ
１０      弾性的案内部材（第２案内部材）
１１      第２軸線平行開口
１２      弾性的案内部材を固定するためのねじ
１３      弾性的スリット
１４      弾性的案内部材のヘッド範囲
１５      調節リング
１６      光軸
１７      調節リングの雌ねじ
１８      鏡筒の雄ねじ
１９      鏡筒
２０      ねじ部
２１      拡開面
２２      尖端
２３      別種の案内部材
２４      第２スリット
２５      バヨネット
【図１】
2006330734.tif 000003
【図２】
2006330734.tif 000004
【図３】
2006330734.tif 000005
【図４】
2006330734.tif 000006